(57)【要約】【課題】  業務案件全体の進捗を容易に把握することが可能な統合進捗管理システムを提供する。【解決手段】  統合進捗管理システム１は、プロセスフローの定義、進捗ブロックの定義、及び、プロセスと進捗ブロックとの対応関係の定義をマスタ１０及び進捗管理テーブル２０に格納する。案件進捗一覧表示部１１１は、マスタ１０及び進捗管理テーブル２０に格納されている定義に基づいて、案件の進捗状態を進捗ブロックの単位で統合進捗メイン画面Ｇ３に表示する。【選択図】  図１６
2007080065.tif 000002
【特許請求の範囲】
【請求項１】
業務を遂行するためのプロセスの流れであるプロセスフローの定義、業務進捗の管理単位としての進捗ブロックの定義、及び、前記プロセスと前記進捗ブロックとの対応関係の定義を示す情報を格納する定義格納手段と、
前記定義記憶手段に記憶されている情報に基づいて、前記プロセスフローに従って処理が行われる案件の進捗状態を前記進捗ブロックの単位で表示する案件進捗一覧表示手段と
を備えることを特徴とする統合進捗管理システム。
【請求項２】
前記案件進捗一覧表示手段は、
ユーザの選択に応じて、仕掛案件に関する情報が表示された画面と、実績案件に関する情報が表示された画面と、の何れか一方を表示することを特徴とする
請求項１に記載の統合進捗管理システム。
【請求項３】
前記案件進捗一覧表示手段により表示されている所定の案件が選択された場合に、該所定の案件の各進捗ブロックに対応する、処理が完了しているプロセスの履歴を表示する案件詳細情報表示手段をさらに備えることを特徴とする
請求項１又は２に記載の統合進捗管理システム。
【請求項４】
前記案件詳細情報表示手段は、
前記所定の案件に対応付けて記憶されている添付ファイルについての情報をさらに表示することを特徴とする
請求項３に記載の統合進捗管理システム。
【請求項５】
案件保留設定画面を表示する保留設定画面表示手段と、
前記案件保留設定画面において案件保留の指示入力が行われた場合に、案件の進捗状態の更新を保留する案件保留手段とをさらに備えることを特徴とする
請求項１から４の何れか１項に記載の統合進捗管理システム。
【発明の詳細な説明】
【技術分野】
【０００１】
本発明は、業務案件の進捗を管理する統合進捗管理システムに関する。
【背景技術】
【０００２】
従来、ビジネスに関わる業務案件処理の進捗管理を、ワークフローを利用して効率的に行う技術が種々検討されている（例えば、特許文献１〜４参照）。
【特許文献１】特開２０００−１３２３８６号公報
【特許文献２】特開２００１−１３４６６８号公報
【特許文献３】特開平１０−１８７８５９号公報
【特許文献４】特開平８−１９０５８４号公報
【発明の開示】
【発明が解決しようとする課題】
【０００３】
しかしながら、これらの技術においては、業務案件を遂行するための処理工程が多い場合や、各処理工程を行う業務部門、会社、システム等が異なる場合には、業務案件全体のワークフローや進捗状態を１画面に表示することができず、ユーザは業務案件の進捗状況を把握することが困難であるという問題点があった。
本発明は以上の問題点に鑑みてなされたものであり、業務案件全体の進捗を容易に把握することが可能な統合進捗管理システムを提供することを目的とする。
【課題を解決するための手段】
【０００４】
上記課題を解決するために、請求項１に記載の発明は、業務を遂行するためのプロセスの流れであるプロセスフローの定義、業務進捗の管理単位としての進捗ブロックの定義、及び、前記プロセスと前記進捗ブロックとの対応関係の定義を示す情報を格納する定義格納手段と、前記定義記憶手段に記憶されている情報に基づいて、前記プロセスフローに従って処理が行われる案件の進捗状態を前記進捗ブロックの単位で表示する案件進捗一覧表示手段とを備えることを特徴とする統合進捗管理システムを提供する。
この発明によれば、統合進捗管理システムは案件の進捗状況を進捗ブロック単位で表示するため、ユーザは案件の進捗状況を進捗ブロック単位で視覚的に把握することができ、業務案件全体の進捗を把握することが容易となる。
【０００５】
請求項２に記載の発明は、請求項１に記載の統合進捗管理システムにおいて、前記案件進捗一覧表示手段は、ユーザの選択に応じて、仕掛案件に関する情報が表示された画面と、実績案件に関する情報が表示された画面と、の何れか一方を表示することを特徴とする。
この発明によれば、ユーザは、仕掛案件と実績案件とを別々の画面で照会することができるため、案件の進捗状態を効率的に把握、管理することができる。
【０００６】
請求項３に記載の発明は、請求項１又は２に記載の統合進捗管理システムにおいて、前記案件進捗一覧表示手段により表示されている所定の案件が選択された場合に、該所定の案件の各進捗ブロックに対応する、処理が完了しているプロセスの履歴を表示する案件詳細情報表示手段をさらに備えることを特徴とする。
この発明によれば、ユーザは、表示されている所定の案件を選択することで、該所定の案件の各進捗ブロックに対応する、処理が完了しているプロセスの履歴を照会することができ、進捗ブロック毎の進捗状態に加えて、各進捗ブロックの詳細な処理内容を把握することができる。
【０００７】
請求項４に記載の発明は、請求項３に記載の統合進捗管理システムにおいて、前記案件詳細情報表示手段は、前記所定の案件に対応付けて記憶されている添付ファイルについての情報をさらに表示することを特徴とする。
この発明によれば、ユーザは、案件を選択することによって、案件にどのような添付ファイルが対応付けられているかを把握することができる。
【０００８】
請求項５に記載の発明は、請求項１から４の何れか１項に記載の統合進捗管理システムにおいて、案件保留設定画面を表示する保留設定画面表示手段と、前記案件保留設定画面において案件保留の指示入力が行われた場合に、案件の進捗状態の更新を保留する案件保留手段とをさらに備えることを特徴とする。
この発明によれば、ユーザは案件保留設定画面を用いて案件の進捗状態の更新を保留することができるため、業務の状況に応じた臨機応変な運用が可能となる。
【発明の効果】
【０００９】
本発明によれば、統合進捗管理システムは、案件の進捗状態を進捗ブロック単位で表示するため、ユーザは案件の進捗状態を進捗ブロック単位で視覚的に把握することができ、業務案件全体の進捗を把握することが容易となる。
【発明を実施するための最良の形態】
【００１０】
以下、図を参照して、本発明の実施の形態について説明する。
図１は、本発明の実施の形態に係る統合進捗管理システム１の全体構成を示すブロック図である。同図に示すように、統合進捗管理システム１は、統合進捗管理サーバ１００と、プロセス進捗管理サーバ２００と、クライアント４００と、管理用端末４０１とを含んで構成されており、これらの装置はＬＡＮ（Local Area Network）やインターネット等の通信ネットワークで接続されている。
【００１１】
ここで、本実施の形態における用語の定義について説明する。本実施の形態における「業務」とは、案件を管理する最上位の単位である。例えば、業務には「コンピュータソフトウェア購買」、「お客様情報管理」、「設備投資管理」等が存在する。
また、「プロセスフロー」とは、業務に属し、案件を管理するための全体の処理フローの単位である。１つの業務に複数のプロセスフローが属すことが可能である。プロセスフローには、例えば、コンピュータソフトウェア購買の業務で扱う「作成請負」、「作業請負」、「派遣業務」等が存在する。
【００１２】
また、「案件」とは、プロセスフローに従って処理が行われる具体的な業務の内容である。案件としては、例えば、「Ａさんが発注しているＢシステム作成」が存在する。
また、「進捗ブロック」とは、全体のプロセスフローにおける業務進捗の管理単位として定義された進捗内容である。例えば、プロセスフローが「作成請負」である場合には、対応する進捗ブロックとして「見積依頼」、「見積決裁」、「検収処理」等が存在する。
【００１３】
また、「プロセス」とは、プロセスフローを構成する１つ１つの処理であり、複数のプロセスが１つの進捗ブロックと対応付けられる。例えば、上記の進捗ブロック「見積依頼」と対応するプロセスとして、「依頼処理中」、「見積回答待ち」などが存在する。
図２には、プロセスフローを構成する処理各々を「プロセス」として定義する様子を示している。図３には、複数のプロセスをブロック化し、進捗ブロック（業務進捗の管理単位）として定義する様子を示している。
【００１４】
（プロセス進捗管理サーバ）
プロセス進捗管理サーバ２００は、業務案件に関する進捗状態を複数の異なるシステムから収集して管理するサーバである。本実施の形態では、マイクロソフト（登録商標）社のＢｉｚＴａｌｋ（登録商標）Ｓｅｒｖｅｒをプロセス進捗管理サーバ２００として利用している。ＢｉｚＴａｌｋ（登録商標）Ｓｅｒｖｅｒでは、業務案件のプロセスをオーケストレーションとして管理する。
【００１５】
（統合進捗管理サーバ）
統合進捗管理サーバ１００は、案件の進捗状態等、案件に関する情報をプロセス進捗管理サーバ２００から所定の周期で収集することにより、案件の進捗管理を行うサーバである。
図４に示すように、統合進捗管理サーバ１００で管理されるプロセスフローとその進捗ブロックとは、プロセス進捗管理サーバ２００で管理されるオーケストレーション構造と対応するよう定義されている。すなわち、統合進捗管理サーバ１００で管理されるプロセスフロー全体はプロセス進捗管理サーバ２００で管理されるメインオーケストレーションと対応し、かつ、統合進捗管理サーバ１００で管理される進捗ブロックはメインオーケストレーションから呼び出される各々のオーケストレーションと対応するよう定義されている。
【００１６】
（ハードウェア構成）
図５には、統合進捗管理サーバ１００のハードウェア構成を示す。同図に示すように、統合進捗管理サーバ１００は、サーバ１００全体を制御するＣＰＵ（Central Processing Unit）１０ａと、データを一時的に記憶するＲＡＭ（Random Access Memory）１０ｂと、起動用プログラムが記憶されるＲＯＭ（Read Only Memory）１０ｃと、統合進捗管理を行うためのソフトウェアを記憶するハードディスク装置１０ｄと、キーボードやマウスで構成される入力装置１０ｅと、各種画面を表示するディスプレイで構成される表示装置１０ｆと、を含んで構成されている。
【００１７】
ハードディスク装置１０ｄには、データを格納するための各種データベースが設けられている。図６には、ハードディスク装置１０ｄに設けられているデータベースの一例を示す。
データベースには、マスタ１０と進捗管理テーブル２０とが存在する。マスタ１０は、定義格納手段に対応する。
【００１８】
業務管理マスタ１１は、定義された業務についての情報を格納するデータベースである。業務管理マスタ１１には、データ項目として「業務名」、「業務コード」、「表示順」、「説明」が設けられている。
プロセスフロー管理マスタ１２は、定義されたプロセスフローについての情報を格納するデータベースである。プロセスフロー管理マスタ１２には、データ項目として、「業務コード」、「プロセスフローＮＯ．」、「アイテム項目数」、「項目名」が設けられている。
【００１９】
アクセス権限管理マスタ１３は、ユーザ（管理者、利用者等）毎のアクセス権限を格納するデータベースである。アイテム種別マスタ１４は、案件に関するアイテム種別（年月日、金額、テキスト等）を格納する。
進捗ブロック管理マスタ１５は、定義された進捗ブロックについての情報を格納する。進捗ブロック管理マスタ１５には、図７に示すように、データ項目として「プロセスフローＮＯ．」、「進捗ブロックＮＯ．」、「オーケストレーションＮＯ．」が設けられている。
【００２０】
フロー別採番管理マスタ１６は、フロー別、案件別に採番された管理番号を格納する。利用者マスタ１７は、統合進捗管理システム１を利用するユーザの情報を格納する。既定値マスタ１８は、クライアント４００に表示する検索可能件数、表示幅等、各種既定値を格納する。
進捗管理テーブル２０には、仕掛案件の進捗を管理する仕掛案件進捗管理テーブル２０ａと、実績案件を管理する実績案件進捗管理テーブル２０ｂとが存在する。
【００２１】
仕掛案件進捗管理テーブル２０ａには、仕掛案件管理テーブル２１、進捗ブロック履歴テーブル（仕掛案件）２２、及び、仕掛案件ファイル管理テーブル２３が存在する。
実績案件進捗管理テーブル２０ｂには、実績案件管理テーブル２４、進捗ブロック履歴テーブル（実績案件）２５、及び、実績案件ファイル管理テーブル２６が存在する。
仕掛案件管理テーブル２１及び実績案件管理テーブル２４には、図７に示すように、データ項目として「プロセスフローＮＯ．」、「案件管理ＮＯ．」、「現在進捗ブロックＮＯ．」が設けられている。
【００２２】
進捗ブロック履歴テーブル（仕掛案件）２２及び進捗ブロック履歴テーブル（実績案件）２５には、進捗ブロック毎の詳細履歴が格納される。詳細履歴とは、各進捗ブロックに対応付けられて定義されているプロセスのうち、過去に処理が完了しているプロセス名、実行日時等である。進捗ブロック履歴テーブル（仕掛案件）２２及び進捗ブロック履歴テーブル（実績案件）２５には、図７に示すように、データ項目として「プロセスフローＮＯ．」、「案件管理ＮＯ．」、「現在進捗ブロックＮＯ．」、「ジョブ名」、「実行日時分秒」が設けられている。
【００２３】
仕掛案件ファイル管理テーブル２３及び実績案件ファイル管理テーブル２６は、案件毎の添付ファイルについて情報を格納する。ファイル実態テーブル２７は、実際の添付ファイルのデータを格納する。
また、ハードディスク装置１０ｄには、表示装置１０ｆに各種画面を表示するためのデータ及びプログラムが記憶されている。図８には、表示装置１０ｆに表示される画面体系の一例を示す。
【００２４】
（機能構成）
統合進捗管理サーバ１００が備える以上説明したハードウェア及びソフトウェアにより、図９に示す機能構成が統合進捗管理サーバ１００に実現される。以下、各機能について説明する。
案件進捗一覧表示部１１１は、プロセスフローに従って処理が行われる案件の進捗を、マスタ１０に記憶されている定義に基づいて進捗ブロックの単位で統合進捗メイン画面Ｇ３に表示する。
図１０には、統合進捗メイン画面Ｇ３の一例を示す。同図に示すように、統合進捗メイン画面Ｇ３のデータヘッダ部ｆ３１には、項番／管理番号／登録者／登録日、プロセスフローに対応したアイテム項目名および進捗ブロック名が表示される。また、データ部ｆ３２には、ヘッダ部ｆ３１の内容に合わせた案件毎の情報が表示される。
【００２５】
また、案件進捗一覧表示部１１１は、ユーザの選択に応じて、仕掛案件に関する情報が表示された統合進捗メイン画面Ｇ３と、実績案件に関する情報が表示された統合進捗メイン画面Ｇ３との何れか一方を表示する。図１０は、仕掛案件に関する情報が表示された統合進捗メイン画面Ｇ３である。図１０では、進捗ブロック状態表示欄ｆ３３の各行の進捗状態の何れかは“処理中”となっている。図１１には、実績案件に関する情報が表示された統合進捗メイン画面Ｇ３の一例を示す。図１１では、進捗ブロック状態表示欄ｆ３３の進捗状態は全て“完了”となっている。
【００２６】
案件詳細情報表示部１１２は、案件進捗一覧表示部１１１により表示されている統合進捗メイン画面Ｇ３において所定の案件が選択された場合に、当該所定の案件の各進捗ブロックに対応付けられているプロセスのうち、処理が完了しているプロセスの履歴を案件進捗詳細画面Ｇ４に表示する。
図１２には、案件進捗詳細画面Ｇ４の一例を示す。同図に示すように、案件進捗詳細画面Ｇ４の詳細履歴欄ｆ４１には、業務案件「ソフト購買要員派遣」の各進捗ブロック「見積依頼」、「発注申請」、「発注処理」、「協力会社作業」、「検収申請」毎に、処理日時及びプロセス名の履歴が表示されている。
【００２７】
ここで、図１３を参照して、プロセスと進捗ブロックと統合進捗メイン画面Ｇ３との対応関係を説明する。同図に示す進捗ブロックＢ１〜Ｂ５と、プロセスＰ１〜Ｐ１７との対応関係は、マスタ１０によって定義されている。実際の業務案件の処理はプロセス単位で行われるが、統合進捗メイン画面Ｇ３では、業務案件の進捗はプロセス単位で表示されず、ブロック単位で表示される。このため、案件毎の進捗状態を１行単位で表示することができるため、ユーザは視覚的に進捗状況を捉えやすく、進捗管理を効率的に行うことができる。
【００２８】
案件保留設定画面表示部１１３は、案件を保留設定する際に用いられる案件保留設定画面Ｇ５を表示する。図１４には案件保留設定画面Ｇ５の一例を示す。
案件保留部１１４は、案件保留設定画面Ｇ５において案件保留の指示入力が行われた場合に、案件の進捗状態の更新を保留する。ここで、案件の進捗状態を保留するとは、案件についての所定のプロセスが完了する等して進捗管理テーブル２０の更新を行うべき事象が生じた場合に、進捗管理テーブル２０の更新を行わないことをいう。このような機能を設けることにより、業務の状況に応じた臨機応変な運用が可能となる。
【００２９】
次に、画面の操作手順について説明する。
［統合進捗メイン画面］  図１５にはメニュー画面Ｇ１の一例を示す。ユーザが、メニュー画面Ｇ１において、所定のプロセスフローの進捗アンカーを選択すると、案件進捗一覧表示部１１１は、マスタ１０及び仕掛案件進捗管理テーブル２０ａを参照して、図１０に示すような、選択されたプロセスフローに属する仕掛中の案件一覧が表示された統合進捗メイン画面Ｇ３を表示する。
【００３０】
このときに、案件進捗一覧表示部１１１は、進捗ブロックに対応付けられているプロセスが全て完了している場合に、当該進捗ブロックの進捗ブロック状態表示欄ｆ３３に“完了”と表示する。また、進捗ブロックに対応付けられているプロセスが処理中である場合には、当該進捗ブロックの進捗ブロック状態表示欄ｆ３３に“処理中”と表示する。また、進捗ブロックに対応付けられているプロセスが全て未処理である場合に、当該進捗ブロックの進捗ブロック状態表示欄ｆ３３に“−”を表示する。全く未処理の案件は、データ部ｆ３２に表示されない。案件登録後、処理が止まっている案件はデータ部ｆ３２に案件が表示される。また、当該進捗ブロックの進捗ブロック状態表示欄ｆ３３に“−”や“処理中”や“完了”と表示する。また、保留中の案件については、当該案件が表示されている欄の色をライトピンクに表示する。また、削除状態の案件については、当該案件が表示されている欄の色をグレーアウトに表示する。
一方、ユーザが、メニュー画面Ｇ１において、所定のプロセスフローの実績アンカーを選択した場合には、案件進捗一覧表示部１１１は、図１１に示すような、選択されたプロセスフローに属する実績案件一覧が表示された統合進捗メイン画面Ｇ３を表示する。
【００３１】
［案件進捗詳細画面］
次に、図１６を参照して、案件進捗詳細画面Ｇ４の表示手順について説明する。
まず、ユーザは、統合進捗メイン画面Ｇ３に表示されている案件一覧の中から所定の案件の管理番号をマウスでクリック等することにより、詳細履歴を参照すべき所定の案件を選択する。
これにより、案件詳細情報表示部１１２は、選択された所定の案件の案件管理番号をキーとして、仕掛案件管理テーブル２１又は実績案件管理テーブル２４から案件情報を取得する。さらに、案件詳細情報表示部１１２は、案件管理番号をキーとして、進捗ブロック履歴テーブル（仕掛案件）２２又は進捗ブロック履歴テーブル（実績案件）２５から詳細進捗履歴を取得する。さらに、案件詳細情報表示部１１２は、案件管理番号をキーとして、案件ファイル管理テーブル（仕掛）２３又は案件ファイル管理テーブル（実績）２６から添付ファイル情報を取得する。そして、案件詳細情報表示部１１２は、取得した案件情報、詳細進捗履歴、及び、添付ファイル情報が表示された案件進捗詳細画面Ｇ４を表示する。ユーザは、表示された案件進捗詳細画面Ｇ４を参照することにより、進捗ブロックの詳細履歴を確認することができる。
【００３２】
［案件保留設定画面］
次に、図１４に示す案件保留設定画面Ｇ５を用いた案件保留設定手順について説明する。
まず、ユーザは、保留にすべき案件が表示された案件進捗詳細画面Ｇ４において、更新ボタンＢ４１をクリックする。これにより、案件保留設定画面表示部１１３は、案件保留設定画面Ｇ５を表示する。
ユーザは、案件保留設定画面Ｇ５において、保留を設定する旨の内容、保留の理由等を入力し、ＯＫボタンＢ５１をクリックする。
【００３３】
これにより、案件保留部１１４は、入力されたデータを仕掛案件管理テーブル２１に格納し、さらに、データ項目「案件状態」に“保留中”を格納する。以後、案件進捗詳細画面Ｇ４上の「案件状態」には図１７に示すように“保留中”と表示され、仕掛案件管理テーブル２１及び進捗ブロック履歴テーブル（仕掛案件）２２を更新する事象が生じたとしても案件保留部１１４はこれらのテーブルの更新を行わない。
【００３４】
［添付ファイル追加削除画面］
次に、図１８に示す添付ファイル追加削除画面Ｇ９を用いて、案件に対応付けるべき添付ファイルを追加する機能について説明する。
まず、ユーザは、案件進捗詳細画面Ｇ４において添付ファイル追加／削除ボタンＢ４２をクリックする。これにより、添付ファイル追加削除画面Ｇ９が表示される。
添付ファイル数が５個を超える場合は、必要なファイルリスト数をファイルリスト数欄ｆ１０１に設定し、リスト数変更Ｂ１０１ボタンをクリックすることで、６個以上の添付ファイルの追加が可能となる。
【００３５】
ユーザは、参照ボタンＢ１０２をクリックして添付ファイル選択画面を表示し、添付ファイルを選択する。これにより、添付ファイル追加欄ｆ１０２には選択したファイル名が表示される。ＯＫボタンＢ１０３をクリックすると、図１８に示すように、案件進捗詳細画面Ｇ４の添付ファイル欄ｆ４２にファイル名が表示される。ファイル名のボタンＢ４３をクリックすると、ファイルのデータ内容が表示される。
【００３６】
以上説明したように、統合進捗管理システム１によって案件の進捗を進捗ブロック単位で表示することができるため、ユーザは視覚的に案件の進捗状態を進捗ブロック単位で把握することができ、業務案件全体の進捗を容易に把握することができる。
統合進捗管理システム１を利用して統合進捗メイン画面Ｇ３を参照することで、利用者は自身の案件が業務フロー上のどのブロック位置に存在するかを速やかに確認することができる。また、業務管理担当者は、業務フロー上に滞留する案件を速やかに確認し、検索、抽出することができる。このような案件の１画面での可視化により、一般利用者および業務管理担当者の相互サポートを可能とし、一般部門および業務管理担当部門の事務管理負荷を軽減することが可能となる。さらには、各案件を選択指示することにより、その案件の各進捗ブロックの詳細履歴を確認することでき、様々な業務ニーズに対応することができる。
【００３７】
なお、上述した実施の形態において説明した各種データ構成及び表示画面は一例に過ぎず、本発明の技術思想の範囲で各種変形が可能である。
また、上述した実施の形態では、案件の詳細情報を表示する方法として、画面Ｇ３上に表示された管理番号をクリックするようにしたが、これに限定されることはなく、例えば、管理番号の横に詳細画面表示用のボタンを設けて、そのボタンをクリックするようにしてもよい。
【００３８】
また、上述した実施形態においては、プロセス進捗管理サーバ２００は、マイクロソフト（登録商標）社のＢｉｚＴａｌｋ（登録商標）Ｓｅｒｖｅｒを利用するとして説明したが、これに限定されることはなく、プロセスを定義することが可能なソフトウェアがインストールされたサーバであればよい。
また、統合進捗管理システム１における統合進捗管理の機能は、統合進捗管理サーバ１００とプロセス進捗管理サーバ２００とが備えているとして説明したが、これに限定されることはなく、３台以上の装置が備えていても、あるいは、１台の装置が備えていてもよい。
【産業上の利用可能性】
【００３９】
あらゆる種類の業務の進捗管理に利用することができる。
【図面の簡単な説明】
【００４０】
【図１】本発明の実施の形態に係る統合進捗管理システムの全体構成を示すブロック図である。
【図２】同実施の形態に係るプロセスフローを構成する処理の各々を「プロセス」として定義する様子を示す図である。
【図３】同実施の形態に係る複数のプロセスを進捗ブロックとして定義する様子を示す図である。
【図４】同実施の形態に係る統合進捗管理サーバで管理されるプロセスフロー及び進捗ブロックと、プロセス進捗管理サーバで管理されるオーケストレーション構造との対応関係を示す図である。
【図５】同実施の形態に係る統合進捗管理サーバのハードウェア構成を示す図である。
【図６】同実施の形態に係る統合進捗管理サーバのハードディスク装置に設けられているデータベースの一例を示す図である。
【図７】同実施の形態に係る各種データベースのデータ構成を示す図である。
【図８】同実施の形態に係る表示装置に表示される画面体系の一例を示す図である。
【図９】同実施の形態に係る統合進捗管理サーバの機能構成を示すブロック図である。
【図１０】同実施の形態に係る仕掛案件に関する情報が表示された統合進捗メイン画面の一例を示す図である。
【図１１】同実施の形態に係る実績案件に関する情報が表示された統合進捗メイン画面の一例を示す図である。
【図１２】同実施の形態に係る案件進捗詳細画面の一例を示す図である。
【図１３】同実施の形態に係るプロセスと進捗ブロックと統合進捗メイン画面との対応関係を説明するための図である。
【図１４】同実施の形態に係る案件保留設定画面の一例を示す図である。
【図１５】同実施の形態に係るメニュー画面の一例を示す図である。
【図１６】同実施の形態に係る統合進捗メイン画面から案件進捗詳細画面に遷移する様子を示す図である。
【図１７】同実施の形態に係る案件保留中の案件進捗詳細画面の一例を示す図である。
【図１８】同実施の形態に係る添付ファイル追加削除画面の一例を示す図である。
【図１９】同実施の形態に係る添付ファイルについての情報が表示された案件進捗詳細画面の一例を示す図である。
【符号の説明】
【００４１】
１  統合進捗管理システム
１００  統合進捗管理サーバ
１０ａ  ＣＰＵ、１０ｂ  ＲＡＭ、１０ｃ  ＲＯＭ、１０ｄ  ハードディスク装置、１０ｅ  入力装置、１０ｆ  表示装置、
１０  マスタ、１１  業務管理マスタ、１２  プロセスフロー管理マスタ、１３  アクセス権限管理マスタ、１４  アイテム種別マスタ、１５  進捗ブロック管理マスタ、１６  フロー別採番管理マスタ、１７  利用者マスタ、１８  既定値マスタ
２０  進捗管理テーブル、２０ａ  仕掛案件進捗管理テーブル、２０ｂ  実績案件進捗管理テーブル、２１  仕掛案件管理テーブル、２２  進捗ブロック履歴テーブル（仕掛案件）、２３  仕掛案件ファイル管理テーブル、２４  実績案件管理テーブル、２５  進捗ブロック履歴テーブル（実績案件）、２６  実績案件ファイル管理テーブル、２７  ファイル実態テーブル
１１１  案件進捗一覧表示部、１１２  案件詳細情報表示部、１１３  案件保留設定画面表示部、１１４  案件保留部
２００    プロセス進捗管理サーバ
４００    クライアント
４０１    管理用端末
【図１】
2007080065.tif 000003
【図２】
2007080065.tif 000004
【図３】
2007080065.tif 000005
【図４】
2007080065.tif 000006
【図５】
2007080065.tif 000007
【図６】
2007080065.tif 000008
【図７】
2007080065.tif 000009
【図８】
2007080065.tif 000010
【図９】
2007080065.tif 000011
【図１０】
2007080065.tif 000012
【図１１】
2007080065.tif 000013
【図１２】
2007080065.tif 000014
【図１３】
2007080065.tif 000015
【図１４】
2007080065.tif 000016
【図１５】
2007080065.tif 000017
【図１６】
2007080065.tif 000018
【図１７】
2007080065.tif 000019
【図１８】
2007080065.tif 000020
【図１９】
2007080065.tif 000021